(57)【要約】【課題】熟練が不要で、誰でもが簡単に装着を行うことができ、且つ、自然な風合いをもたせて装着しうる装飾用人工体毛群とこれを用いた体毛状装飾具の装着方法を提供する。【解決手段】多数本の体毛を面状に並列させ、それら各体毛の一端部を一線上に揃えた状態で、熱可塑性の接着テープにより前記端部を止着して、多数本の体毛を接着テープの長手方向に面状に連続させた。そして、接着テープを任意の長さに切断することにより、平面状の体毛状装飾具とし、これを他の体毛群に重ねて加熱して、体毛状装飾具をその一端において他の体毛群に接着した。特に、接着テープの表面に、接着テープより融点の低い熱可塑性材料からなる白化防止材料を重ねた体毛状装飾具とすれば、さらに良好な装着品質が得られる。【選択図】　　図１
2004100074.tif 000002
【特許請求の範囲】
【請求項１】
多数本の人工体毛を面状に並列させ、それら各人工体毛の一端部を一線上に揃えた状態で、長手方向の任意の位置で切断可能な熱可塑性の接着テープにより前記端部を止着して、前記多数本の人工体毛を前記接着テープの長手方向に面状に連続させたことを特徴とする装飾用人工体毛群。
【請求項２】
前記接着テープの表面に、前記接着テープより融点の低い熱可塑性材料からなる白化防止材料を重ねたことを特徴とする請求項１に記載の装飾用人工体毛群。
【請求項３】
請求項１または２に記載の装飾用人工体毛群の前記接着テープを任意の長さに切断することにより、前記長さを幅寸法とし且つ一端に前記接着テープの一部からなる熱可塑性の接着片が設けられた平面状の体毛状装飾具とし、前記接着片を毛髪などの体毛群に重ねた状態で加熱して、前記体毛状装飾具をその一端において前記毛髪などの体毛群に面状に接着することを特徴とする体毛状装飾具の装着方法。
【発明の詳細な説明】
【０００１】
【発明の属する技術分野】
本発明は、装飾用人工体毛群と、これのテープを切断して得られる体毛状装飾具の装着方法に関する。
【０００２】
【従来の技術】
頭部の脱毛には、全脱毛と部分脱毛がある。そして、部分脱毛を隠蔽する方法には、いわゆる部分かつらを着用する方法がある。
また、部分かつらを着用せずに、部分脱毛箇所を隠蔽する方法としては、使用者の残毛を利用する方法と利用しない方法がある。
【０００３】
すなわち、使用者の残毛を利用しない方法としては、増毛用毛髪を頭皮に直接接着して毛髪の本数を増加させる。
この方法としては、切り取り可能な薄板状に形成した毛髪束の一端部を、接着剤を用いて直接頭部に固定する取り付け部材付きかつらというものが知られている（例えば、特許文献１参照。）。
【０００４】
同様に、直接接着する方法として、並列状の毛髪束を直接頭部に接着するというものも知られている（例えば、特許文献２参照。）。
また、使用者の残毛を利用して、これらの残毛を介して間接的に増毛用の毛髪束を頭部に取り付けて毛髪の本数を増加させるという、いわば間接接着する方法も行われている。
【０００５】
この方法としては、増毛用毛髪の基部にホットメルト接着剤を付着させた増毛部材を予め形成しておき、使用者の残毛の基部に、軟化させた接着剤が固化する前に、残毛の基端部に向けて螺旋状に増毛用毛髪の基部を巻き付けた後、冷却固化して接着するという方法が知られている（例えば、特許文献３参照。）。
【０００６】
【特許文献１】
特公平６−９６８０５号公報
【特許文献２】
特公平７−９６７２３号公報
【特許文献３】
特許第２５４９５６５号公報
【０００７】
【発明が解決しようとする課題】
上記の特許文献１ないし２に記載の技術では、頭皮に直接接着剤を塗布する。そして、頭皮に増毛用の毛髪束を直接接着する。そのため、皮膚が敏感な使用者や、かぶれやすい使用者には適用できない場合があり、このような場合にあっては、特許文献３に記載の技術のように、使用者の残毛を利用して間接的に接着する方法を採用することになる。
【０００８】
しかしながら、特許文献３に記載の技術では、使用者の残毛の基部に、軟化させたホットメルト接着剤が固化する前に、使用者の残毛の基端部に向けて螺旋状に増毛用毛髪の基部を巻き付ける作業が欠かせない。そのため、この巻き付け作業に時間が掛かる。そして、安定した巻き付け品質を維持するには熟練が必要なため、誰でもが簡単に行うことは難しい。
【０００９】
また、使用者の残毛にホットメルト接着剤を直接接着した際に、接着部分が白色に変色（以下、白化現象と呼ぶ）してしまう場合がある。この白化現象が生じると、装着部が目立って、見栄えが悪くなってしまう。従来は、白化現象を低減させるために、シャンプーをおこなったのち、ペーハー（ｐＨ）調整剤などを使った前処理を行っていたがいまだ不十分であり、また、作業の長時間化やコストアップの原因ともなっていた。
【００１０】
ところで、上述の従来の技術は、基本的には脱毛を隠蔽する目的において考え出されたものであるが、近年、ファッションの多様化によって、頭髪に対する積極的装飾が従来にも増して需要が増大している。すなわち、ヘアーエクステンションなどに代表される分野に、その装飾用途は広がりをみせている。
ここで、ヘアーエクステンションとは、従来、美容室で行われていた、髪を切る（短くする）という常識に対し、「髪を長くする」という新しい頭髪装飾方法である。すなわち、増毛用の毛髪束を使用して、ショートヘアからロングヘアにする技術である。
【００１１】
また、犬や猫などの愛玩動物に対する意識も近年は顕著な変化があり、愛玩動物関連用品の品揃えは今後も拡大するものと考えられ、そうした愛玩動物関連需要のうち、愛玩動物の体毛に対する装飾の需要も増していくものと予測される。
本発明は、このような点に着目してなされたものである。
すなわち、熟練が不要で、誰でもが簡単に装着を行うことができる体毛状装飾具の装着方法と、前記体毛状装飾具を任意の幅寸法に設定できる装飾用人工体毛群を提供することを目的としている。
【００１２】
【課題を解決するための手段】
上記の目的を達成するために、請求項１に係る発明は、多数本の人工体毛を面状に並列させ、それら各人工体毛の一端部を一線上に揃えた状態で、長手方向の任意の位置で切断可能な熱可塑性の接着テープにより前記端部を止着して、前記多数本の人工体毛を接着テープの長手方向に面状に連続させて装飾用人工体毛群としている。
【００１３】
ここで、「人工体毛」とは、体毛素材に人手を加えて用いるという意味であり、人工繊維に限定されない。例えば、自然人の人毛や、獣毛を素材とした場合も含まれる。
また、「一線上に揃えた状態」とは、必ずしも一直線上に整列しているという意味ではなく、少なくとも接着テープの幅内に基端部が止着可能に重なっている状態であればよい。
【００１４】
そして、請求項２に係る発明は、請求項１に記載の装飾用人工体毛群において、前記接着テープの表面に、前記接着テープより融点の低い熱可塑性材料からなる白化防止材料を重ねたことを特徴としている。
また、請求項３に係る発明は、体毛状装飾具の装着方法であって、請求項１または２に記載の装飾用人工体毛群の前記接着テープを任意の長さに切断することにより、前記長さを幅寸法とし且つ一端に前記接着テープの一部からなる熱可塑性の接着片が設けられた平面状の体毛状装飾具とし、前記接着片を毛髪などの体毛群に重ねた状態で加熱して、前記体毛状装飾具をその一端において前記他の体毛群に面状に接着することを特徴としている。
【００１５】
本発明は、熱可塑性の接着テープが、平面的に形成された結合剤ならびに接着剤としての機能を同時に備えているのである。
すなわち、結合剤としての機能は、人工体毛を束ねる際に、熱を加えて圧着するだけで簡単に装飾用人工体毛群として製造することができる。特に、平面状に形成しているからアイロン等を使用しても容易に結合可能であるため量産も容易である。
【００１６】
そして、接着剤としての機能は、いったん固化した後も加熱すれば再び溶解させることができる熱可塑性の接着テープであるため、例えば、装飾用人工体毛群の接着テープ部分を任意の長さに切断することにより体毛状装飾具とし、これを頭部等の毛髪などの体毛群に重ねた状態で、例えばフラットアイロンなどで挟みながら加熱して、接着テープを再溶解させることによって体毛状装飾具を毛髪などの体毛群に容易に接着することができる。
【００１７】
また、本発明者は、上述の白化現象の問題点を解決するために、キューティクルを顕微鏡を用いて仔細に観察したところ、熱可塑性の接着テープに加えて、ある一定の条件を備えた材料を使用することによって、キューティクル内部からの油脂の流出を防ぎ、もって、白化現象を防止することに成功した。
すなわち、請求項２に係る発明によれば、接着テープの表面に、接着テープより融点の低い熱可塑性材料からなる白化防止材料を重ねている。このため、フラットアイロンなどで挟みながら加熱すると、まず、この白化防止材料が溶解する。すると、体毛状装飾具使用者の残毛表面のキューティクル内部に、溶解した白化防止材料が流れ込む。そして、時間差をもって融点の高い接着テープが溶解する。このようにすると、体毛状装飾具を直接接着した際に、白化防止材料によって、先ず、接合部分のキューティクルがコーティングされ、次いで、基材となる接着テープによって接着されるということになる。
【００１８】
このため、白化現象の原因であるキューティクルの内側からの油脂発生を防止し、しかる後に接合することができる。したがって、装着部が目立つことなく、見栄えの良い状態で装着することができる。
そして、請求項３に係る発明によれば、体毛状装飾具と毛髪などの体毛群とが平面状に接着されるから接着部分が平坦に仕上がるため、外観のごわつき感や違和感が少ない自然な風合いをもたせることができるのである。
【００１９】
つまり、本発明によれば、体毛状装飾具を製作する準備は、装飾用人工体毛群を鋏等で切断するだけでよいし、その装着も、体毛状装飾具を付けたい頭部等の毛髪などの体毛群の任意の位置に重ねた後は、挟みながら加熱するだけでよい。そのため、多くのアレンジやバリエーションの選択が可能となり、熟練が不要で、誰でもが簡単に装着を行うことができる。且つ、その仕上がりの風合いが良いという効果が得られる。そのため、特に積極的装飾分野への応用ができる。例えば、ヘアーエクステンションや、愛玩動物の体毛に対する積極的装飾などにも好適に使用し得る。
【００２０】
【発明の実施の形態】
以下、本発明の実施形態を図面を用いて説明する。
図１は、本発明の第一の実施形態における装飾用人工体毛群の説明図である。
この装飾用人工体毛群１は、同図（ｂ）に拡大図示するように、多数本の人工体毛３と、接着テープ４と、白化防止材料６と、によって構成されている。
【００２１】
人工体毛３は、ポリエステルを素材とし、その表面に人工キューティクルを加工した繊維からなる必要十分な長さをもった人工毛髪を使用している。
接着テープ４は、熱によって溶解し、冷却されると再び固化する熱可塑性を有するポリアミド系の樹脂からなり、必要十分な厚さと、長手方向に連続し且つ適度な幅と、をもったテープである。
【００２２】
白化防止材料６は、接着テープ４に対して融点の低い材料を使用している。具体的には、松から得られる天然樹脂であるロジン、カウリコーバル等の樹脂を混合して使用している。なお、この樹脂の保存状態はアルコールを溶剤とした液体であり、適用部分に塗布し、乾燥させることによって使用する。
次に、図２にて本発明の第一の実施形態における装飾用人工体毛群１の製造工程について説明する。
【００２３】
まず、多数本の人工体毛３を面状に並列させ、その両端を人工体毛３の繊維方向に引っ張って人工体毛３を伸張し、固定する（工程１）。
次に、それら各人工体毛３の長さ方向のほぼ中央部を接着テープ４の幅方向ほぼ中央の一線上４ａに合わせながら、接着テープ４をその長手方向に平坦に伸して仮止めする（工程２）。
【００２４】
そして、工程２の状態を維持したまま、例えば、アイロン（図示せず）を使用して加圧しながら熱することによって接着テープ４を溶解し、その後冷却して再固化させて熱圧着する（工程３）。
そして、工程３の状態を維持したまま、白化防止材料６の液体を接着テープ４の表面に塗布し、乾燥させることによって二層構造を備えた白化防止接着テープ５とする（工程４）。
【００２５】
最後に、上記の一線上４ａの線から白化防止接着テープ５の長手方向に切断することによって、結果として、その切断部に基端部３ａを生ぜしめ、一線上４ａに揃えた状態で、多数本の人工体毛３を白化防止接着テープ５の長手方向に面状に連続させた装飾用人工体毛群１を同時に二組製造する（工程５）。
以上の手順によって、多数本の人工体毛３を面状に並列させ、それら各人工体毛３の一端部である一方の基端部３ａを一線上４ａに揃えた状態で、接着テープ４により基端部３ａを止着して、多数本の人工体毛３を白化防止接着テープ５の長手方向に面状に連続させた装飾用人工体毛群１を製造することができる。
【００２６】
なお、工程３において、アイロンを使用して加圧しながら熱する際に、溶解した接着テープ４がアイロンに貼り付いてしまうのを防止するために、はくり紙７を接着テープ４の上側に被せてから熱圧着すれば作業をさらに容易に行うことができる。
こうして製造された装飾用人工体毛群１は、体毛状装飾具２ないし２０として、例えば、次のようにして用いられる。
【００２７】
図３は、本発明の第一の実施形態における装飾用人工体毛群１を使用した体毛状装飾具２０の装着方法の説明図である。
同図（ａ）に示すように、まず、前記装飾用人工体毛群１の白化防止接着テープ５を任意の長さ（例えば、図１（ａ）においてＡ−Ａ線の位置）で鋏（図示しない）で切断することによって体毛状装飾具２が形成される。
【００２８】
次に、図３（ｂ）に示すように、この体毛状装飾具２（任意の長さに切断された装飾用人工体毛群１）をその切断された長さを幅寸法とし且つ一端に白化防止接着テープ５の一部からなる熱可塑性の接着片５０を平面状に適宜組み合わせ、重ねることによって体毛状装飾具２０とする。
最後に、同図（ｃ）にヘアーエクステンションに適用した例を示す。同図のように、この体毛状装飾具２０を例えば頭部等８の毛髪などの体毛群９の所望の位置に毛髪などの体毛群９の裏面側から体毛状装飾具２０を重ねて、フラットアイロン８０を用いて接着片５０の位置を上下から挟持し、熱圧着する。
【００２９】
このようにして、装飾用人工体毛群１は、これを用いた体毛状装飾具２０として毛髪などの体毛群９に簡単に装着することができる。
なお、体毛状装飾具２の状態のまま、毛髪などの体毛群９に装着することもできる。
図４は、図３（ｃ）によるヘアーエクステンションの装着後の体毛状装飾具２０を説明するための要部拡大図である。
【００３０】
同図に示すように、接着片５０によって人工体毛３の基端部３ａが面状に連続して止着されたままの状態で、毛髪などの体毛群９に体毛状装飾具２０が接着されている。
そのため、体毛状装飾具２０と毛髪などの体毛群９とは、それらの接合部が平面状に接着されるから接着部分が平坦に仕上がるため、外観のごわつき感や違和感が少ない自然な風合いをもたせることができるのである。特に、毛髪などの体毛群９の裏面側から体毛状装飾具２０を接着すれば接着片５０は表側から見えないので、なお一層見栄えを良くすることができる。
【００３１】
そして、接着片５０（任意の長さに切断した白化防止接着テープ５）には、融点の異なる二種類の熱可塑性材料を使用している。このため、フラットアイロン８０で接着片５０を挟みながら加熱すると、まず、融点の低い白化防止材料６が溶解する。このとき、使用者の残毛表面のキューティクルの内部に、溶解した白化防止材料６が流れ込む。
【００３２】
そして、時間差をもって融点の高い接着テープ４が溶解する。したがって、直接接着した際に、白化防止材料６によって接合部分のキューティクルが、先ず、コーティングされ、次いで、基材となる接着テープ４によって全体が接着されるということになる。
このため、白化現象の原因であるキューティクルの内側からの油脂の流出を白化防止材料６が防止し、しかる後に接着テープ４で接合することができる。したがって、装着部が目立たなく、見栄えの良い状態で装着することができる。なお、従来のように、シャンプーをおこなったのち、ペーハー（ｐＨ）調整剤などを使った前処理を行えばさらに好適に白化現象を防止しうる。
【００３３】
なお、上記の実施形態では、生産性並びに装着性の向上を目的として、白化防止材料６を装飾用人工体毛群１の白化防止接着テープ５の構成部材として予め使用しているが、この白化防止材料６による白化現象を防止する効果は、この実施形態に限定されるものではない。すなわち、白化現象を防止する効果は、毛髪などの体毛群９と体毛状装飾具との間に白化防止材料６を介在させた状態で熱圧着作業を行えば、同効果を得ることができる。
【００３４】
したがって、例えば、液体である白化防止材料６を熱圧着作業直前に個別の体毛状装飾具の基端部（この場合は接着テープは接着テープ４のみで構成されている）に塗布してもよいし、また、毛髪などの体毛群９の被接合部分に塗布してから同装着作業を行ってもよい。
また、本実施形態では、白化防止材料６は、液体を塗布しているが、本発明はこれに限定されるものではなく、例えば、白化防止材料６を接着テープ４の形状と整合する寸法に形成されたテープ状とし、これを、接着テープ４に張り合わせて用いてもよい。
【００３５】
以上説明したように、本実施形態の装飾用人工体毛群１とこれを用いた体毛状装飾具２０の装着方法によれば、多数本の人工体毛３を面状に並列させ、それら各人工体毛３の基端部３ａを一線上４ａに揃えた状態で、熱可塑性の接着テープ４により基端部３ａを止着して、前記多数本の人工体毛３を接着テープ４の長手方向に面状に連続させた。さらに、接着テープ４より融点の低い白化防止材料６を接着テープ４の表面に塗布し、乾燥させることによって二層構造を備えた白化防止接着テープ５としている。
【００３６】
そして、この白化防止接着テープ５を任意の長さに切断することにより、前記長さを幅寸法とし且つ一端に白化防止接着テープ５の一部からなる熱可塑性の接着片５０が設けられた平面状の体毛状装飾具２０とし、その接着片５０を毛髪などの体毛群９に重ねた状態で加熱して、体毛状装飾具２０をその一端において毛髪などの体毛群９に接着可能とした。この接着位置は毛髪などの体毛群９の長手方向において任意の位置である。
【００３７】
本実施形態では、熱可塑性の接着テープ４が平面的に形成された結合剤ならびに接着剤としての機能を備えているということになる。
すなわち、結合剤としての機能は、人工体毛３を束ねる際に、接着テープ４に熱を加えて圧着するだけで簡単に装飾用人工体毛群１として製造することができる。特に、平面状に形成しているからアイロン等を使用しても容易に結合可能であるため量産も容易である。
【００３８】
そして、接着剤としての機能は、いったん固化した後も加熱すれば再び溶解させることができる熱可塑性の接着テープ４であるため、例えば、装飾用人工体毛群１の接着テープ４部分を任意の長さに切断することにより体毛状装飾具２ないし２０とし、これを頭部等８の毛髪などの体毛群９に重ねた状態で、例えばフラットアイロン８０などで挟みながら加熱して、接着テープ４を再溶解させることによって体毛状装飾具２ないし２０を毛髪などの体毛群９に容易に接着することができる。
【００３９】
そしてまた、接着テープ４に、接着テープ４より融点の低い白化防止材料６を使用して白化防止接着テープ５としている。このため、熱圧着すると、まず、融点の低い白化防止材料６が溶解し、次いで、融点の高い接着テープ４が溶解する。したがって、接着部分がまず、白化防止材料６によってコーティングされ、次いで、基材となる接着テープ４によって接着されるので、白化現象の発生を効果的に防止することができる。したがって、装着部を目立つことなく、見栄えの良い状態にすることができる。
【００４０】
そして、特にこの装着方法によれば、体毛状装飾具２ないし２０と毛髪などの体毛群９とが平面状に接着されるから接着部分が平坦に仕上がるため、外観のごわつき感や違和感が少ない自然な風合いをもたせることができるのである。
つまり、本実施形態によれば、体毛状装飾具２ないし２０を製作する準備は、装飾用人工体毛群１を鋏等で切断するだけでよいし、その装着も、体毛状装飾具２ないし２０を付けたい頭部等の毛髪などの体毛群９の任意の位置に重ねた後は、挟みながら加熱するだけでよい。そのため、熟練が不要で、誰でもが簡単に装着を行うことができる。且つ、その仕上がりの風合いが良いという効果が得られ、特に、ヘアーエクステンションや、愛玩動物の体毛に対する積極的装飾などにも好適に使用し得る。
【００４１】
図５は、人工体毛３の外観が相違する装飾用人工体毛群１から形成した体毛状装飾具２を組み合わせて体毛状装飾具２０を構成した場合の説明図である。
同図（ａ）に示す体毛状装飾具２０Ａは、色彩ないし色調のことなる体毛状装飾具２を複数（ここでは二種類）組み合わせて用いている。すなわち、体毛状装飾具２Ａは、例えば明るい茶色の体毛３Ａとし、体毛状装飾具２Ｂは、例えば深みのある茶色の体毛３Ｂとし、これらを重ねて上述のように熱圧着している。
【００４２】
同図（ｂ）に示す体毛状装飾具２０Ｂは、風合いのことなる体毛状装飾具２を複数（ここでは二種類）組み合わせて用いている。すなわち、体毛状装飾具２Ｃは、例えば軽いウェーブがかかった体毛３Ｃとし、体毛状装飾具２Ｄは、例えば強いウェーブがかかった体毛３Ｄとし、これらを重ねて上述のように熱圧着している。
【００４３】
同図（ｃ）に示す体毛状装飾具２０Ｃは、太さのことなる体毛状装飾具２を組み合わせて用いている。すなわち、体毛状装飾具２Ｅは、例えばやや細い体毛３Ｅとし、体毛状装飾具２Ｆは、例えばやや太い体毛３Ｆとし、これらを重ねて上述のように熱圧着している。
なお、これらの外観の異なる体毛状装飾具２の組み合わせは上記の例のみならず、例えば、深みのある茶色の体毛３Ｂと、やや細い体毛３Ｅとを重ねて上述のように熱圧着する等、種々の組み合わせが可能である。
【００４４】
図６は、本発明のその他の実施形態における装飾用人工体毛群の説明図である。
同図に示す第二の実施形態における装飾用人工体毛群１０は、第一の実施形態の製造手順に対して、まず、接着テープ４をその長手方向に伸して所定の位置に仮止めし（工程１）、人工体毛３をその一方の基端部３ａを接着テープ４の幅方向ほぼ中央の一線上４ａに、接着テープ４の長手方向にそろえて平坦に並べ（工程２）、基端部３ａを挟んで接着テープ４を一線上４ａから二つ折りに折り返し（工程３）、最後に、工程３の状態を維持したまま熱圧着する（工程４）。
【００４５】
なお、（工程４）にて、第一の実施形態と同様に、はくり紙７を二つ折りに折り返して接着テープ４の外側から包むようにして用いれば作業をさらに容易に行うことができる。
以上の手順によって、基端部３ａを止着して、多数本の人工体毛３を接着テープ４の長手方向に面状に連続させた装飾用人工体毛群１０を製造している。そのため、装飾用人工体毛群１０の止着部分の接着テープ４の基材である接着テープ４が人工体毛３を両側から包むように結合することができるので、体毛状装飾具を装着した後の接合部の強度が向上するという効果がある。
【００４６】
なお、本発明は、以上説明した実施形態に限定されるものではなく、例えば、人工体毛３として人毛や獣毛を用いても勿論かまわない。
また、装着には、フラットアイロン８０を用いているが、その他の加熱可能な熱源を用いることでも代用できる。
また、装着方法は、装飾用人工体毛群１を任意の長さに切断しているが、この構成に限定されるものではなく、例えば、折り重ねて使用しても構わない。
【００４７】
また、毛髪などの体毛群９としては、かつらを用いても良いし、愛玩動物の体毛群でもよい。
また、実施形態では、ヘアーエクステンションに用いているが、これに限定されるものではなく、毛髪の根本付近に接着させて通常のかつらのように脱毛部分を隠蔽する目的に使用してもよい。
【００４８】
【発明の効果】
本発明によれば、熟練が不要で、誰でもが簡単に装着を行うことができ、且つ、自然な風合いをもたせて装着しうる装飾用人工体毛群とこれを用いた体毛状装飾具の装着方法が提供できる。特に、ヘアーエクステンションや、愛玩動物の体毛に対する積極的装飾などにも好適に使用し得る。
【図面の簡単な説明】
【図１】本発明の一実施形態における装飾用人工体毛群の説明図である。
【図２】本発明の一実施形態における装飾用人工体毛群の製造工程の説明図である。
【図３】本発明の一実施形態における装飾用人工体毛群を使用した体毛状装飾具及びその使用方法の説明図である。
【図４】図３（ｃ）による装着後の体毛状装飾具を説明するための要部拡大図である。
【図５】体毛の外観が相違する組み合わせによって体毛状装飾具を適用した場合の装着方法における説明図である。
【図６】本発明のその他の実施形態における装飾用人工体毛群の説明図である。
【符号の説明】
１、１０・・・装飾用人工体毛群
２、２０・・・体毛状装飾具
３・・・人工体毛
４・・・接着テープ
５・・・白化防止接着テープ
５０・・・接着片
６・・・白化防止材料
７・・・はくり紙
８・・・頭部等
９・・・毛髪などの体毛群
８０・・・フラットアイロン
【図１】
2004100074.tif 000003
【図２】
2004100074.tif 000004
【図３】
2004100074.tif 000005
【図４】
2004100074.tif 000006
【図５】
2004100074.tif 000007
【図６】
2004100074.tif 000008